(57)【特許請求の範囲】
【請求項１】
長辺と短辺とからなる矩形である第１面と、
前記第１面と同形の長辺と短辺とからなる矩形である第２面と、
前記第１面の短辺及び前記第２面の長辺を底辺とする等脚台形である第３面及び第４面と、
前記第１面の長辺及び前記第２面の短辺を底辺とする等脚台形である第５面及び第６面と、
を含むことを特徴とする、ブロック。
【請求項２】
前記第３面と前記第４面には、第１のデザインが施されており、
前記第５面と前記第６面には、前記第１のデザインと異なる第２のデザインが施されていることを特徴とする、請求項１に記載のブロック。
【請求項３】
前記第１面の長辺に、他の前記ブロックの前記第２面の短辺を合わせるための目印が付されていることを特徴とする、請求項１又は２に記載のブロック。
【請求項４】
第１面、第２面、第３面、第４面、第５面及び第６面を含むブロックであって、
前記第１面、前記第２面、前記第３面、前記第４面、前記第５面及び前記第６面は、それぞれ仮想第１面、仮想第２面、仮想第３面、仮想第４面、仮想第５面及び仮想第６面の一部又は全部であり、
前記仮想第１面は、長辺と短辺とからなる矩形であり、
前記仮想第２面は、前記仮想第１面と同形の長辺と短辺とからなる矩形であり、
前記仮想第３面及び前記仮想第４面は、前記仮想第１面の短辺及び前記仮想第２面の長辺を底辺とする等脚台形であり、
前記仮想第５面及び前記仮想第６面は、前記仮想第１面の長辺及び前記仮想第２面の短辺を底辺とする等脚台形であることを特徴とする、ブロック。
【請求項５】
前記第３面と前記第４面には、第１のデザインが施されており、
前記第５面と前記第６面には、前記第１のデザインと異なる第２のデザインが施されていることを特徴とする、請求項４に記載のブロック。
【請求項６】
請求項１〜５のいずれかに記載のブロックを単位ブロックとし、
前記単位ブロックが複数個結合されて構成されることを特徴とする、ブロック。
【発明の詳細な説明】
【技術分野】
【０００１】
本発明は、建築物を構築するための単位となるブロックに関する。
【背景技術】
【０００２】
従来、建築物を構築するための単位となるブロックに関して、特開平８−２３２３６９号公報（特許文献１）に開示されるものがある。特許文献１に開示されるブロックは、レンガ製やコンクリートブロック製などであり、ブロックを、左右横方向に所定個数並設して横列ブロック群を形成するとともに、この各横列ブロック群を上下に適数段積層する。そして、左右及び上下に隣接する各ブロック間には、接着用モルタルを介在させている。このようにして、ブロック壁構造を構築するものである。特許文献１には、ブロックの形状を工夫することによって、外部からの変形作用力に対して各ブロックが相互に補強される技術が開示されている。
【先行技術文献】
【特許文献】
【０００３】
【特許文献１】特開８−２３２３６９号公報
【発明の概要】
【発明が解決しようとする課題】
【０００４】
上記特許文献１に開示されるように、従来、ブロックの形状にさまざまな工夫が行われていた。しかしながら、従来のブロックは、最終形態である建築物を強固にすることにのみ着目しており、建築物を壊す際や再利用する際のことについては考慮されていなかった。例えば、一時的に利用される建築物として窯があるが、従来のブロックで窯を構築すると、たしかに強固ではあるものの、窯を壊したり再利用したりする際に、非常に不便であるという問題があった。
【０００５】
そこで本発明は、このような問題に鑑みてなされたものであり、その目的とするところは、建築物を壊したり再利用したりする際に便利な、新規かつ改良されたブロックを提供することにある。
【課題を解決するための手段】
【０００６】
上記課題を解決するために、本発明の第１の観点によれば、長辺と短辺とからなる矩形である第１面（１１０）と、前記第１面と同形の長辺と短辺とからなる矩形である第２面（１２０）と、前記第１面の短辺及び前記第２面の長辺を底辺とする等脚台形である第３面（１３０）及び第４面（１４０）と、前記第１面の長辺及び前記第２面の短辺を底辺とする等脚台形である第５面（１５０）及び第６面（１６０）と、を含むことを特徴とする、ブロック（１００）が提供される。なお、上記の括弧付き符号は、後述する実施形態に対応するものを便宜上付与したものであるが、本発明がこれに限定されるものではない。
【０００７】
かかる構成によれば、ブロックを前後左右に並べてゆけば、お互いのブロックが相互に支えたり支えられたりして板状となる。そして、必要に応じて必要な部分（最外周部など）を固定すればブロックが抜け落ちることはなく、一定の強度を確保しつつ建築物の形態を維持できる。このようにして、ブロックを固着するための部材（接着用モルタルなど）を多用しなくてもよく、建築物を壊したり再利用したりする際に便利である。
【０００８】
本発明は、さまざまな応用が可能である。例えば、前記第３面と前記第４面には、第１のデザインが施されており、前記第５面と前記第６面には、前記第１のデザインと異なる第２のデザインが施されているようにしてもよい。かかる構成によれば、ブロックを用いて建築物を構築する際に、ブロックのどの面とどの面とを密着させればよいかが分かりやすい。
【０００９】
また、前記第１面の長辺に、他の前記ブロックの前記第２面の短辺を合わせるための目印が付されているようにしてもよい。かかる構成によれば、ブロックを用いて建築物を構築する際に、ブロックのどの位置とどの位置とを密着させればよいかが分かりやすい。
【００１０】
上記課題を解決するため、本発明の第２の観点によれば、第１面（３１０）、第２面（３２０）、第３面（３３０）、第４面（３４０）、第５面（３５０）及び第６面（３６０）を含むブロックが提供される。そして、前記第１面、前記第２面、前記第３面、前記第４面、前記第５面及び前記第６面は、それぞれ仮想第１面、仮想第２面、仮想第３面、仮想第４面、仮想第５面及び仮想第６面の少なくとも一部（一部又は全部）である。この点では、第１面〜第６面は、第１領域〜第６領域と称してもよい。そして、前記仮想第１面（２１０）は、長辺と短辺とからなる矩形であり、前記仮想第２面（２２０）は、前記仮想第１面と同形の長辺と短辺とからなる矩形であり、前記仮想第３面（２３０）及び前記仮想第４面（２４０）は、前記仮想第１面の短辺及び前記仮想第２面の長辺を底辺とする等脚台形であり、前記仮想第５面（２５０）及び前記仮想第６面（２６０）は、前記仮想第１面の長辺及び前記仮想第２面の短辺を底辺とする等脚台形であることを特徴とする。なお、上記の括弧付き符号は、後述する実施形態に対応するものを便宜上付与したものであるが、本発明がこれに限定されるものではない。
【００１１】
すなわち、本発明の第２の観点のブロックは、上記本発明の第１の観点のブロックを構成する各面を仮想第１面〜仮想第６面とし、その仮想第１面〜仮想第６面の少なくとも一部（一部又は全部）を第１面〜第６面として捉え、このような第１面〜第６面を含むブロックと捉えることができる。
【００１２】
かかる構成によれば、上記本発明の第１の観点にかかるブロックの機能を有しつつ、ブロックの重量を軽減することができ、コスト削減につながったりするなどの効果がある。また、ブロック間に空間ができることから、建築物を壊すときに便利である。なお、本発明の第２の観点のブロックは、本発明の第１の観点のブロックと組み合わせて建築物を構築してもよく、あるいは、本発明の第２の観点のブロックだけを用いて、建築物を構築してもよい。また、同一形状のブロックだけを用いてもよく、あるいは、異なる形状のブロックを組み合わせてもよい。
【００１３】
本発明の第２の観点のブロックにおいても、さまざまな応用が可能である。例えば前記第３面と前記第４面には、第１のデザインが施されており、前記第５面と前記第６面には、前記第１のデザインと異なる第２のデザインが施されているようにしてもよい。ブロックを用いて建築物を構築する際に、ブロックのどの面とどの面とを密着させればよいかが分かりやすい。
【００１４】
上記課題を解決するため、本発明の第３の観点によれば、上記本発明の第１又は第２の観点にかかるブロックを、複数個結合したブロックが提供される。上記本発明の第１又は第２の観点にかかるブロックは、複数個結合した状態で商取引の対象とすることが可能である。
【００１５】
上記本発明の応用例は、任意に組み合わせることが可能である。
【発明の効果】
【００１６】
本発明によれば、建築物を壊す際や再利用する際の便宜を図ることの可能なブロックが提供される。本発明のその他の効果については、以下の発明を実施するための形態の項でも説明する。
【図面の簡単な説明】
【００１７】
【図１】第１の実施形態にかかるブロック１００を概略的に示す図である。
【図２】ブロック１００を構成する各面を概念的に展開した状態を示す図である。
【図３】第１面１１０と第２面１２０との関係を示す図である。
【図４】ブロック１００を縦横２つずつ相互に支えた状態を示す図である。
【図５】ブロック１００を縦横４つずつ相互に支えた状態を示す図である。
【図６】ブロックの第１面〜第６面と仮想第１面〜仮想第６面との関係を示す図である。
【図７】第２の実施形態にかかるブロックの一例を概略的に示す図である。
【図８】第２の実施形態にかかるブロックの他の一例を概略的に示す図である。
【図９】第２の実施形態にかかるブロックの他の一例を概略的に示す図である。
【図１０】ブロックを用いて窯を作った状態を示す図である。
【発明を実施するための形態】
【００１８】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１９】
（第１の実施形態）
第１の実施形態にかかるブロック１００の構成について説明する。図１は、本実施形態にかかるブロック１００の構成を概略的に示す斜視図である。図２は、ブロック１００の外形を説明するために、ブロック１００を構成する各面を概念的に展開した状態を示す図である。
【００２０】
本実施形態のブロック１００は、煉瓦のように内部が一定程度、密に詰まっているブロック（以下、「密ブロック」という。）であってもよく、内部が空洞で箱のようになっているブロック（以下、「箱ブロック」という。）であってもよい。なお、ブロック１００が密ブロックの場合、図２のように、ブロック１００の表面だけを展開できるものではないが、説明の便宜上、図２を用いて説明する。
【００２１】
ブロック１００は、図１に示したように、６つの面（第１面〜第６面）からなるものである。ブロック１００は、図１に示したように、矩形である第１面１１０と、第１面１１０と同形である第２面１２０と、等脚台形である第３面１３０、第４面１４０、第５面１５０及び第６面１６０とを含む。
【００２２】
本実施形態のブロック１００は、主に形状に特徴があるものであり、少なくとも一定期間、一定の形態を維持できるものである。ブロック１００の材質は特に限定されるものではない。例えば、密ブロックとしては、一般的なブロックであるコンクリートや煉瓦や木製などであってもよい。また、箱ブロックとしては、軽さを重視するなら、紙製や段ボール製などとすることができる。
【００２３】
以下、ブロック１００の各面１１０〜１６０について、形状を中心に説明する。
【００２４】
（第１面１１０）
第１面１１０は、図１、図２に示したように、長辺１１０Ｌと短辺１１０Ｓとからなる矩形である。「矩形（くけい）」は、「長四角（ながしかく）」とも言われ、一般に正方形を除いた長方形として定義される。本実施形態でも「矩形」をこのような一般的な意味で用いる。
【００２５】
図１、図２に示した一例では、長辺１１０Ｌ：短辺１１０Ｓ＝６：４としているが、縦横比（アスペクト比）は他の比率であってもよい。ただし、長辺１１０Ｌ：短辺１１０Ｓ＝１：１でないことは、上述したとおりである。なお、ブロック１１０の実際の大きさは特に制限はなく、いかに小さいものであってもよく、いかに大きいものであってもよい。一例としては例えば、一般的な煉瓦と同様に、一辺を１０〜３０ｃｍ程度とすることができる。
【００２６】
第１面１１０の長辺１１０Ｌは、図１に示したように、第５面１５０及び第６面１６０の等脚台形を構成する一の底辺をなす。また、第１面１１０の短辺１１０Ｓは、図１に示したように、第３面１３０及び第４面１４０を構成する等脚台形の一の底辺をなす。この点については、さらに後述する。
【００２７】
（第２面１２０）
第２面１２０は、上述した第１面１１０を上面としたときに、底面となる面である。第２面１２０は、図１、図２に示したように、第１面１１０と同形の矩形であり、長辺１２０Ｌと短辺１２０Ｓとからなる矩形である。
【００２８】
第１面１１０と第２面１２０との関係について、図３を参照しながら説明する。
第２面１２０は、図３に示したように、第１面１１０と平行であり、第１面１１０の中心Ｃを中心に、９０°回転した形状である。このような性質を有する第１面１１０、第２面１２０によって、後述するように、第３面１３０〜第６面１６０は、実質的に等脚台形となる。
【００２９】
（第３面１３０）
第３面１３０は、上述した第１面１１０を上面としたときに、側面となる面である。第３面１３０の形状は等脚台形であり、図１、図２に示したように、第１面１１０の短辺１１０Ｓと、第２面１２０の長辺１２０Ｌとを底辺（上底及び下底）とする等脚台形である。
【００３０】
なお「等脚台形」とは、台形の一種で、１本の底辺の両端の内角が互いに等しい図形である。このとき、もう一組の底辺の両端の内角も互いに等しくなる。等脚台形は線対称な図形であり、その対称軸は２本の底辺それぞれの中点をともに通る直線である。なお等脚台形を、単に「脚の長さが等しい台形」と定義すると、平行四辺形も含まれてしまうことに留意すべきである。第３面１３０の形状については、図示したとおりであり、当業者であれば、第３面１３０の形状は当然に理解できるので、本実施形態でも「等脚台形」をこのような一般的な意味で用いる。
【００３１】
台形の高さは、任意である。例えば、図３に示した一例では、等脚台形の底辺の比を４：６としたときに、高さは３である。
【００３２】
（第４面１４０）
第４面１４０は、上述した第１面１１０を上面としたときに、側面となる面であり、第３面１３０に対向する面である。第４面１４０の形状は、第３面１３０と同形の等脚台形であり、図１、図２に示したように、第１面１１０の短辺１１０Ｓと、第２面１２０の長辺１２０Ｌとを底辺（上底及び下底）とする等脚台形である。その他、第４面１４０については、上述した第３面１３０と実質的に同様であるため、重複説明を割愛する。
【００３３】
（第５面１５０）
第５面１３０は、上述した第１面１１０を上面としたときに、側面となる面である。第５面１５０は、図１、図２に示したように、第１面１１０の長辺１１０Ｌと、第２面１２０の短辺１２０Ｓとを底辺（上底及び下底）とする等脚台形である。
【００３４】
（第６面１６０）
第６面１６０は、上述した第１面１１０を上面としたときに、側面となる面であり、第５面１５０に対向する面である。第６面１６０の形状は、第５面１５０と同形の等脚台形であり、図１、図２に示したように、第１面１１０の長辺１１０Ｌと、第２面１２０の短辺１２０Ｓとを底辺（上底及び下底）とする等脚台形である。
【００３５】
以上、第１面１１０〜第６面１６０について説明した。
本実施形態のブロック１００は、第１面１１０〜第６面１６０を含むことによって、以下のような性質（ａ）〜（ｃ）を有する。
【００３６】
（ａ）ブロック１００の側面を構成する第３面１３０〜第６面１６０は、上述したような形状を有することで、他のブロックと連結されたときに、他のブロックを支えたり、他のブロックに支えられたりする。図１のように第１面１１０が上面になるように置かれたときには、第３面１３０及び第４面１４０は他のブロックから支えられ、第５面１５０及び第６面１６０は他のブロックを支える。この点については、さらに後述する。
【００３７】
（ｂ）第１面１１０を上面にしてブロック１００を置いた状態を考える。ブロック１００をひっくり返して、第１面１１０を底面とし、第１面１１０の向きを９０度変えると、最初の状態に戻る。このとき、第３面１３０及び第４面１４０と、第５面１５０及び第６面１６０とが、入れ替わったようになる。すなわち、第３面１３０及び第４面１４０は他のブロックを支え、第５面１５０及び第６面１６０は他のブロックから支えられるようになる。
【００３８】
（ｃ）本発明のブロックは、第１面１１０〜第６面１６０に例示される６つの面を実質的に含んでいればよく、例えば、第１面〜第６面の一部がへこんだり欠けたりして他の面を構成しているようなものも、当然に本発明に含まれる。
【００３９】
以上、本実施形態のブロック１００の構成について説明した。
次に、ブロック１００を結合して建築物・構造体を作ることについて、図４、図５を参照しながら説明する。
【００４０】
図４は、ブロック１００を結合する際の基本形として、ブロック１００を縦横２個ずつ、合計４個を結合させた状態を示す図である。図５は、ブロック１００を縦横４個ずつ、合計１６個を結合させた状態を示す図である。なお、説明の便宜上、図４及び図５では、各ブロック１００（１００−１〜１００−４）の上面を、すべて第１面１１０とする。
【００４１】
まず、ブロック１００を結合する際の基本形について、図４を参照しながら説明する。ブロック１００−１の第５面１５０（又は第６面１６０）と、ブロック１００−２の第３面１３０（又は第４面１４０）を密着させる。このようにして、ブロック１００−１は、ブロック１００−２を下から支えることができる。
【００４２】
同様に、ブロック１００−２は、ブロック１００−３を下から支え、ブロック１００−３は、ブロック１００−４を下から支え、ブロック１００−４は、ブロック１００−１を下から支える。このようにして、４つのブロックが相互に支え合うことになる。この点で、本実施形態のブロック１００は「互支ブロック」と称することもできる。
【００４３】
このように４つのブロックが相互に支え合うことから、ブロックの結合の際に、接着用モルタルなどを介在しなくてもよい。このため、簡単に工事ができ、撤去も簡単である。そして、ばらして再利用することが可能である。また、建設用のリース資材としても使え、費用対効果もよい。
【００４４】
なお、このようなブロック１００の結合の仕方を考えると、ブロック１００について、以下のような応用が可能である。
【００４５】
第３面１３０と第４面１４０には、第１のデザインが施されており、対向する第５面１５０と第６面１６０には、第１のデザインと異なる第２のデザインが施されているようにしてもよい。ここでデザインとは、マークや、文字や、模様や、色彩など、どのようなデザインを施してもよい。例えば、第３面１３０と第４面１４０には赤を付し、第５面１５０と第６面１６０には青を付してもよい。このような応用例によれば、ブロック１００を用いて建築物を構築する際に、ブロック１００のどの面とどの面とを密着させればよいかが分かりやすい。
【００４６】
また、他の応用例としては、例えば、第１面１１０の長辺に、他のブロック１００の第２面１２０の短辺を合わせるための目印が付されているようにしてもよい。かかる構成によれば、ブロック１００を用いて建築物を構築する際に、ブロック１００のどの位置とどの位置とを密着させればよいかが分かりやすい。
【００４７】
また、図４を互支ブロックの基本形として、さらにブロックを組み合わせることが可能である。例えば、図５に示したように、４×４のブロックを結合させることができる。また、上下方向に積層することも可能である。必要に応じて、任意の箇所を接着してもよい。特に、最外周部については、必要に応じて接着してもよい。ブロック１００の形状の特性によれば、最外周部のブロック１００を接着すれば、その内側のブロック１００は接着しなくても、抜け落ちない。また、上下方向（積層方向）のみ接着するようにしてもよい。
【００４８】
そして上述したように、一つのブロック１００の大きさは、任意である。任意の大きさのブロックを任意の個数用いることにより、任意の大きさ・形状の建築物を構成することができる。
【００４９】
（第１の実施形態の効果）
以上説明したように、本実施形態によれば、簡単に工事ができ、撤去も簡単である。そして、ばらして再利用することが可能である。また、建設用のリース資材としても使え、費用対効果もよい。
【００５０】
（第２の実施形態）
上記第１の実施形態では、煉瓦のように内部が密に詰まっているブロック（密ブロック）と、内部が空洞で箱のようになっているブロック（箱ブロック）について説明した。本実施形態では、上記第１の実施形態の応用例として、各面１１０〜１６０の少なくとも一部を面として有するブロックについて、図６〜図９を参照しながら説明する。
【００５１】
（仮想第１面〜仮想第６面）
図６は、本実施形態のブロックを説明するための図であり、仮想第１面２１０〜仮想第６面２６０と、本実施形態のブロックの第１面３１０〜第６面３６０との関係を示す図である。
【００５２】
仮想第１面２１０〜仮想第６面２６０は、上記第１の実施形態の第１面１１０〜第６面１６０と実質的に同様の構成とすることができる。すなわち、仮想第１面２１０は、長辺と短辺とからなる矩形であり、仮想第２面２２０は、仮想第１面２１０と同形の長辺と短辺とからなる矩形である。仮想第３面２３０及び仮想第４面２４０は、仮想第１面２１０の短辺及び仮想第２面２２０の長辺を底辺とする等脚台形である。仮想第５面２５０及び仮想第６面２６０は、仮想第１面２１０の長辺及び仮想第２面２２０の短辺を底辺とする等脚台形である。その他の点は、上記第１の実施形態と同様であるため、重複説明を割愛する。
【００５３】
本実施形態のブロックの第１面３１０〜第６面３６０は、仮想第１面２１０〜仮想第６面２６０の少なくとも一部（一部又は全部）である。図６に示した一例では、第１面３１０は、仮想第１面２１０の中心部を中心とし、仮想第１面２１０と相似形（相似比１：３）である。第２面３２０〜第６面３６０についても同様である。
【００５４】
本実施形態のブロックは、第１面３１０〜第６面３６０を有していれば、どのような形状であってもよい。例えば、本実施形態の一例であるブロック２００は、図７に示したように、第１面３１０と第２面３２０が同形であり、第１面３１０と第２面３２０とを端部とする柱状部を有する。また、第３面３３０と第４面３４０が同形であり、第３面３３０と第２面３４０とを端部とする柱状部を有する。また、第５面３５０と第６面３６０が同形であり、第５面３５０と第６面３６０とを端部とする柱状部を有する。
【００５５】
また例えば、本実施形態の他の一例であるブロック３００は、図８に示したように、第１面３１０〜第６面３６０は薄い平板状である。そして、平板状の第１面３１０〜第６面を、細い連結部３７０で連結している。なお、図８において破線は、水平面に対して垂直な鉛直面を表す。かかる構成によれば、ブロック３００の重量を軽減することができたり、コスト削減につながったりするなどの効果がある。また、ブロック３００間に空間ができることから、建築物を壊すときに壊しやすい。
【００５６】
上記では、仮想第１面２１０〜仮想第６面の一部として、図６〜図８に示した第１面３１０〜第６面３６０を例に挙げて説明した。以下では、他の例について説明する。
【００５７】
図９に示した一例では、仮想第１面２１０〜仮想第６面２６０の一部として、各仮想面２１０〜２６０の周縁部を利用する。このようなブロック４００は、図９に示したように、骨組みだけで構成されたように見えるブロックである（以下、「骨ブロック」という。）。骨ブロックを使えば、建築物を軽くすることができる。また、骨ブロックを使えば、建築物を壊すときに壊しやすい。なお、ブロック４００を構成する「骨」は、断面が直方体などある程度の厚みがあってもよい。
【００５８】
以上、本実施形態のブロックの構成について説明した。
なお、本実施形態のブロックにおいても、上記第１の実施形態で説明した応用例と同様の応用が可能である。
【００５９】
次に、ブロック１００を結合して建築物・構造体を作ることについて説明する。以下では、上記第１の実施形態と異なる点を中心に説明する。
【００６０】
本実施形態のブロックは、上記第１の実施形態のブロック１００と組み合わせて建築物を構築してもよく、あるいは、本実施形態ブロックだけを用いて、建築物を構築してもよい。また、本実施形態のブロックだけを用いる場合であっても、まったく同じ形状のブロックのみを用いてもよく、異なる形状のブロックを組み合わせて用いてもよい。
【００６１】
本実施形態のブロックだけを用いる場合は、相互に支え合うブロック間において、ブロック同士が密着する面（領域）が必要なことは言うまでもない。すなわち、例えば、まったく同じ形状のブロックのみを用いる場合は、仮想第１面〜仮想第６面の一部を第１面〜第６面とするにあたり、相互に支えることになる面（第１面と第２面、第３面と第５面、第４面と第６面）の間に、一定の対応関係を有することが必要である。例えば、図６に示した第１面３１０〜第６面３６０のように、仮想面２１０〜２６０の中心部を中心とする一定面積の面（領域）であれば、同じ形状のブロックを用いて相互に支えることが可能である。
【００６２】
その他の点については、上記第１の実施形態と同様であるため、重複説明を省略する。
【００６３】
（第２の実施形態の効果）
以上説明したように、本実施形態によれば、上記本発明の第１の観点にかかるブロックの機能を有しつつ、ブロックの重量を軽減することができたり、コスト削減につながったりするなどの効果がある。また、ブロック間に空間ができることから、建築物を壊すときに壊しやすい。
【００６４】
（第３の実施形態）
上記第１、第２の実施形態では、互支ブロックのいくつかの具体例について説明した。これらのブロックは、一つごとに商取引の対象としてもよい。また、例えば図４や図５に示したような複数のブロックが連結された状態で、その全体を一つのブロックと考え、その全体を一つのブロックとして、商取引の対象としてもよい。また、縦方向（段方向）に連結した状態で、その全体を一つのブロックとしてもよい。このとき、全体を一つのブロックとして、一体成型により製造してもよい。
【００６５】
なお、図４又は図５に示したような複数のブロックが連結された状態においては、特徴的なのは端部の形状である。その他の部分は、ブロックの端部の形態の機能を害しない限り、任意の形状でよい。例えば、図４や図５に示したように、連結されたブロックの上面や底面には、隙間が生じるが、この隙間が充てんされており、上面や底面は連続した平らな面であってもよい。
【００６６】
＜実施例＞
次に、上記実施形態のブロックを用いた実施例について説明する。なお、以下では、上記実施形態で説明した「密ブロック」、「箱ブロック」、「骨ブロック」を用いて説明する。また、これらを「互支ブロック」と総称する。
【００６７】
（１）窯（ピザ窯）
図１０は、互支ブロックを用いて、ピザを焼くための窯（ピザ窯）を作ったものである。なお、図１０の例では、窯の脚の部分も互支ブロック（骨ブロック）４００を用いているが、当該部分は、互支ブロック以外の通常のブロックを用いてもよい。
【００６８】
ここで、一般的な窯の作り方について説明する。まず腹くらいの高さまでレンガを積み上げて、左右と正面が壁となる「コの字型」の足場を作り、その上に鉄板などを乗せる。この板の上にレンガを敷き詰め窯の床とする。さらにその上におわん方のドームを積み上げて完成となる
【００６９】
ところが、上記の窯の鉄板を取り去る（腐る）と当然、床部分は崩れ落ちる。この鉄板を使わずにブロックだけで窯の床部分を組み上げる方法があれば理想である。例えば、脚部にアーチを組み、その上にブロックだけで作った床部分を乗せることなどが考えられる。この床部分を互支ブロックだけで組み上げる方法が有効である。
【００７０】
図１０に示した窯５００のように、互支ブロックを前後左右交互に並べてゆけば、お互いのブロックが支えたり支えられたりして板状となる。そして、最外周部５１０の部分のみ固定すれば内側のブロックが抜け落ちることがない。このように、互支ブロックを組み合わせることにより、理想的な窯を構築することが可能である。そして、窯を使わなくなったときは、撤去も簡単であり、ばらして再利用することも可能である。
【００７１】
（２）住宅
住宅を構成する床、壁、屋根を、互支ブロックで構築することができる。床については、上述したように並べていくだけで床になる。また、床を立てれば壁になる。また、床を持ち上げれば屋根になる。特に、骨ブロック、箱ブロックを使って組み上げれば軽い家ができる。また、温風を通せば、床暖房、壁暖房ができる。また、段ボール紙で折りたたみ式の箱ブロックを作れば、災害時の体育館などの避難所で個室が組み立てられる。
【００７２】
（３）浮き桟橋（箱ブロック）
ヨットハーバーなどでサイコロ状の浮きを繋いで浮き桟橋としているが、互支ブロックを使えば外周を留めるだけなので製作が容易である。また、一つの浮きに人が立った場合、浮力を得るために大きな浮きが必要となるが、互支ブロックを使うと桟橋全体で重さを受けることになるので、小型化・薄型化できる。また歩くたびに足元が沈み込まず歩きやすい。さらに発展して、海上太陽光発電、風力発電設備などのベースとしても使える可能性がある。不要になったら、ばらすだけなので撤去が容易であり、また再利用も可能である。さらに大型化して何段も積み重ねれば、組み立て式海上滑走路にも使える可能性がある。
【００７３】
（４）舞台（骨ブロック）
骨ブロックを必要な広さに並べ、２段３段と積み上げれば舞台ができる。ただし重ねる場合は横滑り防止のため、一体成型された２段重ねの互支ブロック等を要所に組み込んだりする工夫が必要な場合がある。
【００７４】
（５）雨水貯留施設（骨ブロック）
最近都会ではゲリラ豪雨対策として、都市の地下に巨大な雨水の一時貯留施設が造られているが、骨ブロックを使えば簡単にできる。例えば、上記（４）で作った舞台を、公園に造ったプールにはめ込み、上部に蓋をして完成する。プールの底面、側面、蓋には密ブロックを使うことができる。道路の下に骨ブロックを埋め込んでいくことができる。この骨ブロックに電線、上下水管、ガス管などを通せば、共同溝としても使える。なお、（４）で作った舞台をプールなどにはめ込む際に、サイズが合わない場合がある。この場合、骨ブロックの素材として、紙のように変形しやすいものを使うか、あるいは、骨ブロックを折りたたみ式・伸縮式・組み立て式など柔軟に変形できるものを採用することができる。
【００７５】
（６）橋（骨ブロック）
橋を架けることも可能である。これも（４）の舞台と同じように骨ブロックを下から順番に土手の高さまで積み上げる。このとき、最上段はすべて箱ブロックを使うことができる。最上段の外周ブロックをボルト等できっちり留め、両岸の基礎ともしっかり繋ぎ止める。２段目以下のブロックをすべて取り去ると橋が完成する。なお、２段目も残せば強度が上がる。
【００７６】
（７）漁礁（骨ブロック）
上記（４）で作った舞台を海に沈めるだけである。何階建てでもできるので、各階層にさまざまな仕掛けを作ることができる。また、最上階を海面上に持ってくれば、小屋を立てることもできる。その下では潮の干満により干潟もできるため、あさりなどの養殖も考えられる。
【００７７】
（８）人工土地（骨ブロック）
（４）の舞台を、大きな溜池や海辺の浅い入り江などに組み立て、水面上に駐車場、テニスコート、公園などを造る。土砂などで埋め立てるより水中生物の与える影響がはるかに僅少となる。
【００７８】
以上、いくつかの実施例について説明したが、一例に過ぎない。互支ブロックを用いれば、一般的なブロックを用いて構築される建築物はほぼすべて実現可能であるほか、さまざまな応用が可能である。
【００７９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００８０】
本発明は、建築物を構築するための単位となるブロックに利用可能である。
【符号の説明】
【００８１】
１００    ブロック（第１の実施形態）
１１０    第１面（上面）
１１０Ｌ  第１面の長辺
１１０Ｓ  第１面の短辺
１２０    第２面（底面）
１２０Ｌ  第２面の長辺
１２０Ｓ  第２面の短辺
１３０    第３面（側面）
１４０    第４面（側面）
１５０    第５面（側面）
１６０    第６面（側面）
Ｃ      第１面の矩形の中心
２００、３００、４００  ブロック（第２の実施形態）
２１０    仮想第１面（上面）
２２０    仮想第２面（底面）
２３０    仮想第３面（側面）
２４０    仮想第４面（側面）
２５０    仮想第５面（側面）
２６０    仮想第６面（側面）
３１０    第１面（上面）
３２０    第２面（底面）
３３０    第３面（側面）
３４０    第４面（側面）
３５０    第５面（側面）
３６０    第６面（側面）
５００    窯
【図１】
0006562509.tif 000002
【図２】
0006562509.tif 000003
【図３】
0006562509.tif 000004
【図４】
0006562509.tif 000005
【図５】
0006562509.tif 000006
【図６】
0006562509.tif 000007
【図７】
0006562509.tif 000008
【図８】
0006562509.tif 000009
【図９】
0006562509.tif 000010
【図１０】
0006562509.tif 000011